(57)【要約】【課題】ロール紙装填部の開閉蓋およびピーラーユニットの開閉を簡単な操作で行うことのできるピーラー機構付きプリンタを提案すること。【解決手段】プリンタ１の蓋オープンボタン１７を第１の操作位置１７Ｂまで押し下げると、開閉機構５０のロックレバー５２がロック位置５２Ａからロック解除位置５２Ｂにスライドして開閉蓋９のロックが解除され、同時に、スライドするロックレバー５２によってピーラーユニット１０をロックしている係合爪７４ａ、７３ａが内側に押し込まれて、ピーラーユニット１０のロックも解除される。蓋オープンボタン１７を第２の操作位置１７Ｃまで更に押し込むと、ロックレバー５２がスイングし、その蓋押し上げ面５４により開閉蓋９が押し上げられ、開閉蓋９が開く。蓋オープンボタン１７を押し込むだけで開閉蓋９のロック解除と押し上げ動作、およびピーラーユニット１０のロック解除が行われる。【選択図】図９
2006181773.tif 000002
【特許請求の範囲】
【請求項１】
ロール紙の装填部と、
長尺状の台紙からラベルを剥離するためのピーラー機構と、
前記装填部を開閉するための開閉蓋と、
前記ピーラー機構の台紙排出路を開閉するための開閉式のピーラーユニットと、
前記開閉蓋および前記ピーラーユニットを、それらの閉じ位置にロックすると共に当該ロック状態を解除するための開閉機構とを有し、
前記開閉機構は、
前記開閉蓋を閉じ位置にロックするための第１のロック部材と、
前記第１のロック部材によるロック状態を解除するために操作される手動操作部材と、
前記ピーラーユニットを閉じ位置にロックするための第２のロック部材とを備え、
前記第１のロック部材は、ロック位置およびロック解除位置の間を直線往復移動可能であると共に、前記ロック解除位置において所定方向に旋回可能であり、
前記手動操作部材は、初期位置から第１の操作位置を経由して第２の操作位置まで操作可能であり、
前記第１のロック部材は、前記手動操作部材が前記第１の操作位置まで操作されると前記ロック位置から前記ロック解除位置まで直線移動し、前記手動操作部材が前記第１の操作位置から前記第２の操作位置まで操作されると旋回して前記第１の開閉蓋をその開き方向に押し出すようになっており、
前記第２のロック部材は、前記ロック位置から前記ロック解除位置へ直線移動する前記第１のロック部材によって押されて、前記ピーラーユニットのロック状態を解除するようになっていることを特徴とするピーラー機構付きプリンタ。
【請求項２】
請求項１において、
前記第２のロック部材は、前記開閉蓋に搭載され、当該開閉蓋が閉じ位置にロックされた状態において前記ピーラーユニットを閉じ位置にロック可能であることを特徴とするピーラー機構付きプリンタ。
【請求項３】
請求項２において、
前記開閉蓋に搭載され、固定点を回転中心とするピニオンと、
前記開閉蓋に搭載され、前記ピニオンに噛み合っている直線往復移動可能な一対のラックとを有し、
前記一対のラックは前記第２のロック部材であり、一方のラックが前記第１のロック部材によって押されると、当該一対のロック部材による前記ピーラーユニットのロック状態が解除されることを特徴とするピーラー機構付きプリンタ。
【発明の詳細な説明】
【技術分野】
【０００１】
本発明は、印字後のラベルを長尺状の台紙から剥離するためのピーラー機構を備えたラベル作成可能なピーラー機構付きプリンタに関するものである。さらに詳しくは、ラベル作成用紙などがロール状に巻かれた構成のロール紙を装填するための装填部を開閉する開閉蓋、およびピーラー機構の台紙排出路を開閉するための開閉式のピーラーユニットを備えたピーラー機構付きプリンタにおいて、開閉蓋およびピーラーユニットを閉じ位置にロックすると共に当該ロックを解除するための開閉機構の改良に関するものである。
【背景技術】
【０００２】
ロール紙に印字を行うロール紙プリンタにおいては、ロール紙の装填部の開閉蓋に紙送りローラを取り付け、開閉蓋を開けると、装填部が開くと共に記録紙搬送路も開くように構成されたものが知られている。記録紙搬送路が開くので、ロール紙を装填部に入れ、そこから記録紙を所定量繰り出した後に開閉蓋を閉じるという簡単な操作でロール紙をプリンタにセットすることができる。
【０００３】
また、開閉蓋が不用意に開くことの無いように、開閉蓋を閉じ位置にロックするためのロック機構が一般に備わっている。ロック機構は、例えば、開閉蓋に取り付けた係合部と、プリンタ本体側に取り付けたロックレバーとを備えている。ロックレバーは、プリンタ前後方向にスイング可能とされ、ばねなどの付勢部材によって、閉じられた開閉蓋の係合部に対して前側あるいは後側から係合し、これによって開閉蓋のロック状態が形成されるようになっている。
【０００４】
ここで、サーマルヘッドを備えたロール紙プリンタなどにおいては、開閉蓋を閉じると、そこに取り付けられているプラテンローラ（紙送りローラ）がプリンタ本体側のサーマルヘッドに付勢された状態が形成される。したがって、開閉蓋を開けるには、開閉蓋のロック機構を解除する操作と共に、開閉蓋を開き方向に押し上げる操作が必要になる。
【発明の開示】
【発明が解決しようとする課題】
【０００５】
開閉蓋のロック機構と、開閉蓋を開く方向に押し上げるオープン機構とが独立して設けられている場合には、開閉蓋を開ける際に、ロック機構によるロックを解除するための操作と、オープン機構による開閉蓋を押し上げるための操作を順次に行う必要がある。従って、単一操作で開閉蓋を開けることができないので不便である。そこで、ロック機構とオープン機構とを連動させ、ロック機構の解除操作に連動してオープン機構による開閉蓋の押し上げ動作を行わせれば、開閉蓋を開ける際の操作が簡単になる。しかしながら、連動している場合には、衝撃や振動などによってロック機構が外れると開閉蓋が簡単に開いてしまうので好ましくない。
【０００６】
そこで、本願人は、先に、特願２００３−３３３５３６号の明細書、図面において、単一の操作で開閉蓋を開閉でき、しかも、振動・衝撃などの外的要因に影響されることなく開閉蓋を閉じ状態に保持できる開閉蓋のロック・アンロック機構を提案している。
【０００７】
ここで、ロール紙プリンタにおいて、ロール紙として、長尺状の台紙に所定長さのラベルが貼り付けられた構成のラベル作成用紙がロール状に巻かれたものを用いれば、ラベルを作成することができる。この場合、印字後のラベルを台紙から剥離するためのピーラー機構が記録紙の排出口近傍に設けられる。このピーラー機構においても、紙詰りの回復処理、台紙搬送路に沿って台紙をセットする作業が簡単にできるように、開閉式のピーラーユニットを配置し、当該ピーラーユニットを開けると台紙搬送路を開放状態にできるようにすることが望ましい。
【０００８】
しかしながら、このようにピーラー機構の開閉式のピーラーユニットおよびロール紙装填部の開閉蓋を備えている場合には、双方のロック機構およびロック解除機構が必要になり、また、双方の開閉操作が必要になる。これらの機構をコンパクトに構成しないと、プリンタの大型化、コスト高に繋がるので好ましくない。また、開閉操作を簡単に行うことができないと、プリンタの操作性が低下してしまうので好ましくない。
【０００９】
本発明の課題は、このような点に鑑みて、ピーラーユニットおよび開閉蓋のロックおよびロック解除機構がコンパクトに構成され、簡単な操作により双方を開くことができ、しかも、振動・衝撃などの外的要因に影響されることなく開閉蓋を閉じ状態に保持できる開閉機構を備えたピーラー機構付きプリンタを提案することにある。
【課題を解決するための手段】
【００１０】
上記の課題を解決するために、本発明のピーラー機構付きプリンタは、
ロール紙の装填部と、
長尺状の台紙からラベルを剥離するためのピーラー機構と、
前記装填部を開閉するための開閉蓋と、
前記ピーラー機構の台紙搬送路を開閉するための開閉式のピーラーユニットと、
前記開閉蓋および前記ピーラーユニットを、それらの閉じ位置にロックすると共に当該ロック状態を解除するための開閉機構とを有し、
前記開閉機構は、
前記開閉蓋を閉じ位置にロックするための第１のロック部材と、
前記第１のロック部材によるロック状態を解除するために操作される手動操作部材と、
前記ピーラーユニットを閉じ位置にロックするための第２のロック部材とを備え、
前記第１のロック部材は、ロック位置およびロック解除位置の間を直線往復移動可能であると共に、前記ロック解除位置において所定方向に旋回可能であり、
前記手動操作部材は、初期位置から第１の操作位置を経由して第２の操作位置まで操作可能であり、
前記第１のロック部材は、前記手動操作部材が前記第１の操作位置まで操作されると前記ロック位置から前記ロック解除位置まで直線移動し、前記手動操作部材が前記第１の操作位置から前記第２の操作位置まで操作されると旋回して前記開閉蓋をその開き方向に押し出すようになっており、
前記第２のロック部材は、前記ロック位置から前記ロック解除位置へ直線移動する前記第１のロック部材によって押されて、前記ピーラーユニットのロック状態が解除されるようになっていることを特徴としている。
【００１１】
本発明では、手動操作部材の操作により、まず、第１のロック部材が直線移動して、開閉蓋のロック状態が解除され、次に、当該第１のロック部材が旋回して開閉蓋を押し上げる。従って、単一の操作により、開閉蓋のロック解除と開き動作が連続して行われる。また、第１のロック部材は直線移動して開閉蓋のロック位置およびロック解除位置に到る。よって、第１のロック部材を前後にスイングさせて開閉蓋のロックおよびロック解除を行う場合に比べて、開閉蓋をロックするための力を大きくできる。例えば、係合溝に係合ピンが嵌ることによりロック状態が形成される場合を例に取れば、円弧状の軌跡に沿って双方が嵌り合う場合よりも、直線状の軌跡に沿って双方が嵌り合う場合の方が係合深さを深くできるので、双方の係合強度が高まり、振動・衝撃などが外部から作用してもロックが外れてしまうことがない。
【００１２】
また、第１のロック部材の直線移動に連動して、第２のロック部材が押されて、開閉式のピーラーユニットのロックが解除される。したがって、手動操作部材を操作するという単一の操作のみで、開閉蓋およびピーラーユニット双方のロックを解除できる。
【００１３】
ここで、前記第２のロック部材は、前記開閉蓋に搭載され、当該開閉蓋が閉じ位置にロックされた状態において前記ピーラーユニットを閉じ位置にロック可能であることが望ましい。
【００１４】
この構成を採用すれば、ピーラーユニットのみを閉じても、それを閉じ位置にロックできない。したがって、開閉蓋の締め忘れを防止できる。また、ピーラーユニットが閉じ位置にロックされたことを検出する単一のセンサのみを用いて、開閉蓋およびピーラーユニット双方の開閉状態を検出可能になる。
【００１５】
次に、ピーラーユニットをロックするための第２のロック部材として、ラック・ピニオン機構のラックを用いることができる。すなわち、前記開閉蓋に、固定点を回転中心とするピニオンと、前記ピニオンに噛み合っている直線往復移動可能な一対のラックとを搭載することができる。この場合、一対のラックがそれぞれ第２のロック部材として機能し、一方のラックが前記第１のロック部材によって押されると、他方のラックが逆方向に直線移動する。例えば、一対のラックをプリンタ幅方向に延びる状態に配置した場合には、それらが幅方向に伸縮する。よって、これらのラックの先端が内側から外側に貫通して係合可能な係合穴をピーラーユニットにおけるプリンタ幅方向の両端部分に形成しておけばよい。
【発明の効果】
【００１６】
以上説明したように、本発明のピーラー機構付きプリンタでは、手動操作部材を操作すると、ロール紙の装填部を封鎖している開閉蓋をロックしている第１のロック部材が直線移動してそのロック状態が解除され、同時に、当該第１のロック部材によって、ピーラーユニットをロックしている第２のロック部材が押されてそのロック状態が解除される。さらに、開閉蓋のロック状態を解除した後は、手動操作部材の操作によって第１のロック部材が旋回して当該開閉蓋を開き方向に押し上げるので、当該開閉蓋の開き動作も連続して行われる。
【００１７】
したがって、手動操作部材を操作するという一連の操作により、開閉蓋およびピーラーユニット双方のロックを解除でき、また、開閉蓋を開き方向に押し上げることができる。よって、開閉蓋およびピーラーユニットの開き操作を簡単に行うことができる。
【００１８】
また、第１のロック部材によって第２のロック部材が押されてピーラーユニットのロックが解除されるので、ピーラーユニットのロック解除機構を別個に配置する必要がなく、開閉蓋およびピーラーユニットのロック解除機構をコンパクトに構成できる。
【００１９】
さらには、開閉蓋をロックするための第１のロック部材は直線移動してロックおよびロック解除位置に移動するので、従来のようなロック部材がスイングしてロックおよびロック解除位置に切り換わる場合に比べて、ロック状態を保持するための係合力を高めることが可能である。よって、開閉蓋のロック解除および開き方向への押し上げ動作が連動して行われる機構でありながら、振動や衝撃によって開閉蓋が不用意に開いてしまうことも防止できる。
【発明を実施するための最良の形態】
【００２０】
以下に、図面を参照して、本発明を適用したピーラー機能付きプリンタの実施の形態を説明する。
【００２１】
（全体構成）
図１は本実施の形態に係るピーラー機構付きプリンタの外観斜視図であり、図２は開閉蓋を開けた状態を示す外観斜視図であり、図３はその記録紙搬送路を示す概略断面図である。
【００２２】
ピーラー機構付きプリンタ１は、全体として前後方向に長い扁平な直方体形状をしており、プリンタ本体２と、当該プリンタ本体２を覆っているプリンタ外装ケース３から構成されている。プリンタ外装ケース３は上半部分４と下半部分５を備え、図２においては下半部分５を取り外した状態が示されている。プリンタ外装ケース２の上半部分４は、プリンタ上面の前半部分を覆っている前側上ケース部分６と、左側および右側ケース部分７とを備え、プリンタ上面の後半部分には開閉蓋９が配置されている。開閉蓋９の前側には開閉式のピーラーユニット１０が配置されており、開閉蓋９とピーラーユニット１０の間には、プリンタ幅方向に延びる台紙排出口１１が形成されている。また、ピーラーユニット１０にはプリンタ幅方向に延びるラベル発行口として機能する記録紙排出口１２が形成されている。
【００２３】
開閉蓋９は、蓋フレーム９ａと、その円弧状の上面部分を覆っている円弧状の蓋板９ｂとを備えており、蓋フレーム９ａの後端部が、プリンタ幅方向に延びるプリンタ本体２の側の支軸１３によって旋回可能に支持されており、図１に示す閉じ位置９Ａから図２に示すほぼ垂直に起立した開き位置９Ｂまでの間を旋回可能である。開閉蓋９を開くと、プリンタ本体２の後側部分に形成されているロール紙１４の装填部１５が開放状態になる。ピーラーユニット１０も、その前端部が、プリンタ幅方向に延びるプリンタ本体２の側の支軸１６によって旋回可能に支持されており、図１に示す閉じ位置１０Ａから図２に示すほぼ垂直に起立した開き位置１０Ｂまでの間を旋回可能である。
【００２４】
これらの開閉蓋９およびピーラーユニット１０は、詳細を後述する開閉機構５０によって閉じ位置にロックされている。また、左側ケース部分７には蓋オープンボタン１７が配置されており、これを操作することにより、ロック状態を解除して開閉蓋９およびピーラーユニット１０を開けることが可能となっている。
【００２５】
プリンタ本体２の内部には、図３に一点鎖線で示すように、装填部１５に装填されているロール紙１４から繰り出される記録紙１４ａを、プリンタ上面中央部に形成されている台紙排出口１１および記録紙排出口１２に導く搬送路１８が形成されている。この搬送路１８の途中位置には、サーマルヘッド１９が配置されている。その印字面には、開閉蓋９の側に搭載されているプラテンローラ（紙送りローラ）２０がプリンタ後方側から所定の力で押し付けられている。記録紙１４ａは、プラテンローラ２０によって搬送されながら、サーマルヘッド１９によって印字が施される。印字後の記録紙１４ａは記録紙排出口１２に導かれる搬送経路１８ａ、および台紙排出口１１に導かれる搬送経路１８ｂのいずれかに沿って搬送されて、排出される。
【００２６】
台紙排出口１１に導かれる搬送経路１８ｂには、記録紙１４ａをほぼ直角に湾曲させてプリンタ後方に搬送するピーラーローラ２１が配置されている。このピーラーローラ２１の後方にはプリンタ本体２の側に取り付けられている台紙搬送ローラ２２が配置されており、この台紙搬送ローラ２２には、ピーラーユニット１０の側に取り付けられている押えローラ２３が連れ回り可能な状態で押し付けられている。台紙搬送ローラ２２はプラテンローラ２０と同期回転するようになっている。
【００２７】
ピーラーユニット１０、ピーラーローラ２１、台紙搬送ローラ２２および押えローラ２３によりピーラー機構が構成されている。ピーラーユニット１０を開くと、そこに搭載されている押えローラ２３が台紙搬送ローラ２２から離れるので、印字後の記録紙を台紙排出口１１に導く搬送経路１８ｂが開放状態になる。同様に、開閉蓋９を開くと、そこに搭載されているプラテンローラ２０がサーマルヘッド１９から離れて、搬送路１８が開放状態になる。
【００２８】
（ピーラー機構）
図４、５および６は、ピーラー機構の部分を取り出して示す動作説明図である。これらの図を参照して本例のピーラー機構の構成および動作を説明する。まず、ピーラーユニット１０はユニット枠３１を備え、このユニット枠３１はプリンタ幅方向に延びる連結部３２と、この連結部３２の両端においてプリンタ前後方向に延びている左右の腕部３３、３４とを備えている。腕部３３、３４の前端には軸穴３３ａ、３４ａが形成されており、ここに回転自在の状態でプリンタ本体２の側の支軸１６が差し通されており、当該支軸１６を中心としてユニット枠３１が開閉可能である。本例では、前述したように、図１に示す閉じ位置１０Ａから図２に示す開き位置１０Ｂまでの間を開閉可能である。
【００２９】
ユニット枠３１には、押えローラ２３を支持している開閉式の押えローラ支持枠３５が取り付けられている。押えローラ支持枠３５は、プリンタ前後方向に延びる左右の旋回腕３６、３７を備えている。これらのプリンタ後側の先端部には、プリンタ幅方向に連結部３８が架け渡されていると共に、当該連結部３８の下側に押えローラ２３が回転自在の状態で架け渡されている。また、旋回腕３６、３７のプリンタ前側の端部は、ユニット枠３１の左右の腕部３３、３４に対して上下方向に旋回可能な状態で取り付けられている。押えローラ支持枠３５は、図４、５に示すように、押えローラ２３がプリンタ本体側の搬送ローラ２２に押し付けられた動作位置３５Ａから図６に示すようにプリンタ前側にほぼ１８０度旋回した退避位置３５Ｂまでの間を旋回可能である。
【００３０】
また、押えローラ支持枠３５には、押えローラ２３の回転中心軸を中心として旋回可能なラベル検出レバー３９が取り付けられている。ラベル検出レバー３９は、弱い付勢力によって、図４に示すように、記録紙排出口１２を遮る状態に保持されており、記録紙排出口１２に向けて排出される記録紙１４ａによって押し上げられ、図５に示すように旋回して、記録紙排出口１２から退避可能となっている。
【００３１】
ここで、ユニット枠３１の連結部３２にはラベルセンサとして機能するホトカプラ４０が取り付けられている。このホトカプラ４０の検出領域４０ａは、押えローラ支持枠３５の旋回中心に位置している。ラベル検出レバー３９の先端部３９ａは当該検出領域４０ａに位置している。ラベル検出レバー３９が旋回すると、その先端部３９ａがホトカプラ４０によって検出されなくなり、当該ホトカプラ４０からラベル検出信号が出力される。
【００３２】
この構成のピーラー機構の動作を説明する。ラベルを発行する場合には次のように一枚ずつラベルを発行する動作と、連続してラベルを発行する動作とがある。いずれの場合においても、装填部１５には、ロール紙１４として、長尺状の台紙１４ｂに所定長さのラベル１４ｃが所定間隔で貼り付けられている構成のラベル作成用紙１４Ａがロール状に巻かれたものが装填される。
【００３３】
ラベル１４ｃを一枚ずつ発行する場合には、ラベル作成用紙１４Ａが、図４に示すように、ピーラーローラ２１に掛け渡され、台紙搬送ローラ２２および押えローラ２３の間に通された後に台紙排出口１１から引き出されるようにセットされる。この状態でラベル作成用紙１４Ａを搬送すると、台紙１４ｃは台紙排出口１１から排出されるが、ピーラーローラ２１において、台紙１４ｂに貼り付けられている各ラベル１４ｃは、その腰の強さによって、ピーラーローラ２１において直角に湾曲されることなく、台紙表面から剥がれて上方の記録紙排出口１２に向かう。
【００３４】
ラベル１４ｃは、図５に示すように、記録紙排出口１２を封鎖する状態に配置されているラベル検出レバー３９を押し上げながら排出される。この結果、ホトカプラ４０の検出領域４０ａからラベル検出レバー３９の先端部３９ａが外れ、ホトカプラ４０からラベル検出信号が出力される。これにより、記録紙排出口１２から１枚のラベルが発行された状態となったことが検出される。この後はラベル作成用紙１４Ａの搬送が停止し、ラベル１４ｃが取り出されるまで待機する。ラベル１４ｃが操作者によって取り出されると、ラベル検出レバー３９は再び図４の状態に戻り、ホトカプラ４０の出力が止まる。すなわち、ラベル１４ｃが除去されたことが検出される。この後は、ラベル作成用紙１４Ａの搬送および印字動作（ラベル発行動作）が再開される。このようにして、１枚ずつラベルが作成されて発行される。
【００３５】
次に、連続してラベル１４ｃを発行する動作を説明する。この場合には、図６に示すように、押えローラ支持枠３５を動作位置３５Ａから退避位置３５Ｂに旋回させ、ラベル作成用紙１４Ａを記録紙排出口１２から引き出すようにセットする。前述したように、ホトカプラ４０によるラベル検出レバー３９の検出領域は、押えローラ支持枠３５の旋回中心に位置している。したがって、押えローラ支持枠３５を退避位置３５Ｂに旋回させた状態においても、ホトカプラ４０の検出領域４０ａにはそのままラベル検出レバー３９の先端部３９ａが位置したままの状態が形成される。よって、ホトカプラ４０から検出信号が出力されることがなく、ラベル検出動作が不能状態になる。
【００３６】
したがって、ラベル作成用紙１４Ａの搬送が中断されることなく、連続して台紙１４ｂ上のラベル１４ｃに対する印字動作が行われ、台紙１４ｂに貼り付けられたままの状態で作成後のラベル１４ｃが連続して記録紙排出口１２から排出される。
【００３７】
一方、一般的な長尺状の記録紙１４ａが巻かれているロール紙１４に印字を行う場合にも、押えローラ支持枠３５を退避位置３５Ｂに旋回させ、記録紙１４ａが記録紙排出口１２から引き出された状態にセットされる。この場合には、連続してラベルを発行する場合と同様に、印字された記録紙１４ａの先端部分が記録紙排出口１２から連続して排出される。これは一般的なロール紙プリンタの印字動作と同様である。
【００３８】
（開閉機構）
次に、開閉蓋９およびピーラーユニット１０は、開閉機構５０によってその閉じ位置にロックされている。プリンタ外装ケース３の側部に配置されている蓋オープンボタン１７を操作すると、開閉機構５０が連動して、開閉蓋９およびピーラーユニット１０のロックが解除される。開閉蓋９のロック解除時にはその閉じ位置から上方（開き方向）に向けて所定量だけ開閉蓋９が押し上げられる。開閉蓋９が押し上げられるとプリンタ本体２の側から完全に開放され、開閉蓋９を開き位置に付勢しているねじりばねなどの付勢部材（図示せず）の付勢力によって、図２に示す開き位置９Ｂまで旋回して自動的に開状態になる。ピーラーユニット１０のロックが解除されると、当該ピーラーユニット１０を開き位置１０Ｂに付勢しているねじりばねなどの付勢部材（図示せず）によって、図２に示す開き位置１０Ｂまで旋回して自動的に開状態になる。
【００３９】
図７は開閉機構５０の基本構成要素を示す斜視図であり、図８はその開閉蓋９の側の部分を示す斜視図である。図９〜図１２は、開閉機構５０の動作を示す動作説明図である。図２および図７〜図１２を参照して、開閉機構５０の構成を説明する。
【００４０】
まず、開閉機構５０における開閉蓋９を開閉するための部位を説明する。開閉蓋９のプラテンローラ２０のローラ軸２０ａには、回転自在の状態で円筒状の蓋側係合部５１が取り付けられている。プリンタ本体２の左側面にはロックレバー５２（第１のロック部材）がプリンタ前後方向に延びる状態で取り付けられている（図２参照）。ロックレバー５２の前側上端部分には、前方に開いたほぼ半円形の係合溝５３が形成されており、係合溝５３の円弧状内周面の下端に連続して前方に水平に延びる蓋押し上げ面５４が形成されている。開閉蓋９の蓋側係合部５１がロックレバー５２の係合溝５３に嵌った状態が開閉蓋９のロック状態であり、図７、９はこのロック状態を示してある。
【００４１】
ロックレバー５２は、閉じ位置９Ａにある開閉蓋９の蓋側係合部５１が係合溝５３に係合した図９のロック位置５２Ａと、このロック位置５２Ａから所定の距離だけプリンタ後側に後退した図１０に示すロック解除位置５２Ｂとの間を直線状にスライド可能である。また、ロック解除位置５２Ｂから、蓋押し上げ面５４によって蓋側係合部５１が所定量押し上げられた図１１に示す押し上げ位置５２Ｃまでスイング可能である。このようなロックレバー５２の動作は、蓋オープンボタン１７の押し下げ操作に連動して行われる。
【００４２】
本例では、蓋オープンボタン１７を図９に示す初期位置１７Ａから図１０に示す第１の操作位置１７Ｂまで押し下げると、ロックレバー５２がロック位置５２Ａからロック解除位置５２Ｂにスライドする。蓋オープンボタン１７を第１の操作位置１７Ｂから図１１に示す最も押し下げた第２の操作位置１７Ｃまで更に押し下げると、ロックレバー５２が押し上げ位置５２Ｃまでスイングする。
【００４３】
蓋オープンボタン１７は復帰ばね５５（図２参照）によって常にその初期位置１７Ａに押し上げられており、蓋オープンボタン１７の押し下げを解除するとばね力によって初期位置１７Ａに復帰する。また、ロックレバー５２もコイルばねなどの付勢部材５６によって常にロック方向に付勢されている。
【００４４】
蓋オープンボタン１７とロックレバー５２の間には、蓋オープンボタン１７の押し下げをロックレバー５２のスライド運動に変換するためのスイングアーム５７が配置されている。スイングアーム５７は、その下端に取り付けた支軸５７ａを中心として前後方向にスイング可能な状態でプリンタ本体２の側に取り付けられている。スイングアーム５７の上端部分には上下に長い円弧状のピンガイド穴５７ｂが形成されている。ロックレバー５２の後端部には連結ピン５８が固定されており、この連結ピン５８がビンガイド穴５７ｂにスライド可能な状態で差し込まれている。また、スイングアーム５７には係合ピン５９が取り付けられている。係合ピン５９は、支軸５７ａよりも後側におけるスイングアーム５７の上下方向の中程の部位に位置している。蓋オープンボタン１７には、その下端後側の部位が下方に垂直に延びた押し下げ面１７ａが形成され、この押し下げ面１７ａが係合ピン５９の上方に位置している。
【００４５】
蓋オープンボタン１７を押し下げると、押し下げ面１７ａが係合ピン５９に当たり、これ以後は蓋オープンボタン１７によってスイングアーム５７が支軸５７ａを中心として後方にスイングする。蓋オープンボタン１７はほぼ垂直に押し下げられ、スイングアーム５７の係合ピン５９は円弧状の軌跡を描いて移動する。本例では、図１０に示すように、蓋オープンボタン１７が第１の操作位置１７Ｂに到ると、係合ピン５９が押し下げ面１７ａから後側に外れるように設定されている。
【００４６】
次に、ロックレバー５２には、プリンタ前後方向に直線状に延びる長円形の第１および第２のガイド穴５２ａ、５２ｂが形成されている。これらのガイド穴５２ａ、５２ｂにはプリンタ本体２の側に取り付けた第１および第２のガイドピン６１、６２がスライド可能な状態が差し込まれている。第１のガイド穴５２ａはロックレバー５２の前後方向の中程の部位に形成され、この前側における僅かに上側の部位に第２のガイド穴５２ｂが形成されている。ロックレバー５２は２本のガイドピン６１、６２によって水平に保持され、前後方向に水平にスライド可能である。
【００４７】
第２のガイド穴５２ｂの前端からは、第１のガイド穴５２ａにおける前端に位置する第１のガイドピン６１を中心とする円弧状ガイド穴５２ｃが下方に向けて連続して延びている。また、ロックレバー５２とスイングアーム５７の円弧状のピンガイド穴５７ｂも、第１のガイド穴５２ａにおける前端に位置する第１のガイドピン６１を中心とする円弧状ガイド穴とされている（図１０参照）。
【００４８】
また、ロックレバー５２は、第１のガイド穴５２ｂと後端部分に取り付けた連結ピン５８との間の部位に、水平な当接面５２ｄを備えている。蓋オープンボタン１７の前側の下端部分には下方に向けて半円形に突出した押し下げ面１７ｂが形成されており、この押し下げ面１７ｂは当接面５２ｄの上方に位置している。本例では、蓋オープンボタン１７が第１の操作位置１７Ｂまで押し込まれると、押し下げ面１７ｂが当接面５２ｄに当たり、これ以後は、蓋オープンボタン１７を押し下げると、ロックレバー５２の後側の部分が下方に押し下げられる。この押し下げによって、ロックレバー５２は、第１のガイド穴５２ｂに差し込まれている第１のガイドピン６１を中心として前側の部分が上方にスイングする。
【００４９】
次に、ロックレバー５２における係合溝５３の上側の部位には、当該係合溝５３の内周面の上端に連続して後方に向けて上側に傾斜している傾斜案内面５２ｅが形成されている。この傾斜案内面５２ｅは、ロックレバー５２がロック位置５２Ａにある状態において、開閉蓋９を閉じた場合に、その蓋側係合部５１が当接するように位置が定められている。
【００５０】
次に、開閉機構５０におけるピーラーユニット１０を開閉するための構成部位を説明する。開閉蓋９の蓋フレーム９ａにおける円弧状上面における前端部分９ｃには、ピニオン軸７１が固定され、ここを中心としてピニオン７２が回転自在の状態で支持されている。このピニオン７２には、プリンタ幅方向に平行に延びる上側ラック７３および下側ラック７４（第２のロック部材）が噛み合っている。
【００５１】
これら上側ラック７３および下側ラック７４は、蓋フレーム９ａの前端に一体形成されているプリンタ幅方向に延びているスライドガイド９ｄによってプリンタ幅方向にスライド可能な状態で支持されている。上側ラック７３および下側ラック７４のプリンタ幅方向の外側端には、先細り形状の係合爪７３ａ、７４ａが形成されており、それらの上面はプリンタ幅方向の外側に向けて下方に傾斜した傾斜面とされている。また、下側ラック７４における外側端には、係合爪７４ａの下側に、プリンタ前側から後側に向けて外方に傾斜している傾斜面を備えた係合爪７４ｂが形成されている。ピニオン７２は、不図示のばね部材などの付勢手段によって、図８に示す矢印の方向に付勢されている。この結果、ラック７３、７４は、プリンタ幅方向に突出する方向に付勢されている。
【００５２】
一方、ピーラーユニット１０のユニット枠３１における左右の腕部３３、３４におけるプリンタ後側の部位には、下側ラック７４の係合爪７４ａおよび上側ラック７３の係合爪７３ａが内側から外側に差し通されている係合穴３３ｂ、３４ｂが形成されている。これらの係合により、ピーラーユニット１０のロック状態が形成されている。
【００５３】
ここで、下側ラック７４における下側の係合爪７４ｂは、腕部３３の下側に位置しており、この前方には、上記のロックレバー５２の上端部分５２ｆが位置している。ロックレバー５２がそのロック位置５２Ａから後方にスライドすると、当該上端部分５２ｆが係合爪７４ｂに当たる。これらが当接した後は、ロックレバー５２の後方へのスライドによって、下側ラック７４の係合爪７４ｂが内側に強制的に押し込まれる。係合爪７４ｂがロックレバー５２の内側面まで押し込まれると、上側の係合爪７４ａが腕部３３の係合穴３３ｂから内側に外れた状態が形成されるようになっている。上側ラック７３はピニオン７２を介して、下側ラック７４とは反対方向に連動するので、同じく、その係合爪７３ａが腕部３４の係合穴３４ａから内側に外れる。この結果、ピーラーユニット１０のロックが解除された状態になる。
【００５４】
（ロック・ロック解除動作）
上記構成の開閉機構５０のロック・ロック解除動作を説明する。まず、図７、９に示すように開閉蓋９およびピーラーユニット１０がロック状態にあるものとする。この状態では、ロックレバー５２が前側のロック位置５２Ａに位置しており、その係合溝５３に開閉蓋９の蓋側係合部５１が係合した状態になっている。また、ロック状態にある開閉蓋９に搭載されている上側ラック７３および下側ラック７４の係合爪７３ａ、７４ａがピーラーユニット１０の左右の腕部３３、３４の係合穴３３ｂ、３４ｂに内側から差し込まれて、ピーラーユニット１０がその閉じ位置１０Ａにロックされた状態にある。
【００５５】
この状態において、蓋オープンボタン１７を操作して、第１の操作位置１７Ｂまで押し込むと、蓋オープンボタン１７の押し下げ面１７ａによってスイングアーム５７が押されて後方にスイングする。スイングアーム５７は円弧状のピン孔５７ｂおよび連結ピン５８からなる連結部を介してロックレバー５２の後端部分に連結されており、ロックレバー５２は２本のガイドピン６１、６２によって前後方向にスライド可能に支持されている。よって、図１０に示すように、スイングアーム５７が後方にスイングすると、ロックレバー５２が後方に水平にスライドし、ロック解除５２Ｂに到り、開閉蓋９のロックが解除される。ここで、蓋側係合部５１は、ロックレバー５２の係合溝５３からは外れるが、蓋押し上げ面５４に乗った状態にある。
【００５６】
ここで、ロックレバー５２が後方にスライドする際に、その上端部分５２ｆが下側ラック７４の下側の係合爪７４ｂに当たり、当該係合爪７４ｂを内側に押し込む。ロックレバー５２がそのロック解除位置５２Ｂに至った状態では、係合爪７４ｂがロックレバー５２の内側面に当接した状態になる。すなわち、下側ラック７４がロックレバー５２によって内側に押し込まれて、その上側の係合爪７４ａがピーラーユニット１０の腕部３３の係合穴３３ｂから外れる。他方の上側ラック７３はピニオン７２を介して反対方向にスライドするので、やはり、その係合爪７３ａが他方の腕部３４の係合穴３４ｂから外れる。この結果、ピーラーユニット１０のロックが解除され、図１１の状態を経て図１２に示すようにほぼ垂直に起立した開き位置１０Ｂまで旋回して、開き状態になる。
【００５７】
次に、蓋オープンボタン１７を更に押し込むと、その押し下げ面１７ａとスイングアーム５７との係合が解除される。代わりに、蓋オープンボタン１７における前側の押し下げ面１７ｂがロックレバー５２の当接面５２ｄに当たり、ロックレバー５２が第１のガイドピン６１を中心として上下にスイングする。よって、ロックレバー５２の前端部分の蓋押し上げ面５４が蓋側係合部５１を乗せたまま上方に持ち上げられる。この結果、蓋オープンボタン１７を最終操作位置１７Ｃまで押し込んだ状態では、図１１に示すように、ロックレバー５２が押し上げ位置５２Ｃまでスイングして、開閉蓋９が所定量だけ押し上げられて、プリンタ本体２の側から完全に開放された押し上げ位置９Ｃまで開く。
【００５８】
この後は、開閉蓋９はその開き位置９Ｂまで自動的に開く。蓋オープンボタン１７の押し下げを解除すると、復帰ばね５５によって蓋オープンボタン１７は押し上げられてその初期位置１７Ａに戻る。また、押し上げ位置１７Ｃにあるロックレバー５２も、付勢部材５６の付勢力によって、ロック解除１７Ｂに戻り、さらにロック位置１７Ａまでスライドする。図１２はこの状態を示してある。
【００５９】
ここで、この状態において開閉蓋９を再び閉じると、ロック位置５２Ａにあるロックレバー５２の傾斜案内面５２ｅに蓋側係合部５１が当たる。従って、開閉蓋９を強く押し込むと、ロックレバー５２が付勢部材５６の付勢力に逆らってロック解除位置５２Ｂに向けてスライドする。傾斜案内面５２ｅの下端には係合溝５３が連続しているので、ロックレバー５２が後方にスライドすると、蓋側係合部５１が傾斜案内面５２ｅの下端から係合溝５３に前側から嵌り込み、ロックレバー５２が前方にスライドしてロック位置５２Ａに戻る。傾斜案内面５２ｅを備えているので、開閉蓋９を閉じれば、自動的に開閉蓋９をロックできる。
【００６０】
この後に、ピーラーユニット１０をその閉じ位置１０Ａに戻す際には、その左右の腕部３３、３４が下側ラック７４および上側ラック７３の係合爪７４ａ、７３ａに当たり、これらを内側に押し込みながら旋回する。ピーラーユニット１０が閉じ位置１０Ａに至ると、腕部３３、３４の係合穴３３ｂ、３４ｂが係合爪７４ａ、７３ａに対峙するので、これらに係合爪７４ａ、７３ａが係合する。この結果、ピーラーユニット１０のロック状態が形成される。
【００６１】
このように、本例の開閉機構５０では、蓋オープンボタン１７を押し込むという単一の操作により、開閉蓋９のロック解除と、ロック解除された開閉蓋９の押し上げ動作を行うことができる。同時に、ピーラーユニット１０のロック解除動作を行うことができる。
【００６２】
また、ロックレバー５２は前後に直線状にスライドしてロック状態およびロック解除状態が形成される。本例では、ロックレバー５２を開閉蓋９の蓋側係合部５１の円弧状の移動軌跡における係合位置に引いた接線にほぼ直交する方向からロックレバー５２を蓋側係合部５１に係合させている。このようにすると、円弧状にスイングするロックレバーを用いる場合に比べて、係合溝５３を深くでき、双方の係合力を高めることができる。よって、衝撃や振動が作用してロックが外れて開閉蓋が開いてしまうという弊害を回避できる。
【００６３】
さらに、蓋側係合部５１がプラテンローラ２０ローラ軸２０ａに取り付けられている。従って、開閉蓋９を閉じた状態においてプラテンローラ２０の位置が開閉機構５０のロックレバー５２によって直接規定される。よって、プラテンローラ２０を精度良く位置決めでき、また、プラテンローラ２０のがたつきも防止できる。
【００６４】
これに加えて、ピーラーユニット１０をロックする機構が、ピーラーユニット１０と開閉蓋９の間に形成されている。したがって、開閉蓋９を閉じ位置にロックしない限り、ピーラーユニット１０を閉じ位置にロックすることができない。よって、ピーラーユニット１０の閉め忘れ状態を回避できる。この結果、ピーラーユニット１０および開閉蓋９の開閉を検出するために、ピーラーユニット１０の開閉状態を検出する単一のセンサを搭載しておくだけでよいという利点がある。
【００６５】
さらには、ピーラーユニット１０をロックする機構がピニオン７２と上下一対のラック７３、７４により構成されており、プリンタ幅方向の両側位置においてピーラーユニット１０をがたつきなく確実にロックできる。また、一方のラックを移動すれば他方も連動してロックが解除されるので、機構が極めて簡単になる。
【図面の簡単な説明】
【００６６】
【図１】本発明を適用したピーラー機構付きプリンタの外観斜視図である。
【図２】図１のプリンタの開閉蓋を開けた状態を示す外観斜視図である。
【図３】図１のプリンタの記録紙搬送路を示す概略断面図である。
【図４】図１のプリンタのピーラー機構の部分を取り出して示す動作説明図である。
【図５】図１のプリンタのピーラー機構の部分を取り出して示す動作説明図である。
【図６】図１のプリンタのピーラー機構の部分を取り出して示す動作説明図である。
【図７】図１のプリンタの開閉機構の基本構成要素を示す斜視図である。
【図８】図７における開閉蓋の側の部分を示す斜視図である。
【図９】開閉機構の動作説明図である。
【図１０】開閉機構の動作説明図である。
【図１１】開閉機構の動作説明図である。
【図１２】開閉機構の動作説明図である。
【符号の説明】
【００６７】
１  ピーラー機構付きプリンタ、２  プリンタ本体、３  プリンタ外装ケース、９  開閉蓋、９Ａ  閉じ位置、９Ｂ  開き位置、１０  ピーラーユニット、１０Ａ  閉じ位置、１０Ｂ  開き位置、１１  台紙排出口、１２  記録紙排出口、１４  ロール紙、１４ａ  記録紙、１４Ａ  ラベル作成用紙、１４ｂ  台紙、１４ｃ  ラベル、１５  装填部、１７  蓋オープンボタン、１７Ａ  初期位置、１７Ｂ  第１の操作位置、１７Ｃ  第２の操作位置、２０  プラテンローラ、２１  ピーラーローラ、２２  台紙搬送ローラ、２３  押えローラ、３１  ユニット枠、３３、３４  腕部、３３ｂ、３４ｂ  係合穴、３５  押えローラ支持枠、３９  ラベル検出レバー、３９ａ  先端部、４０  ホトカプラ、４０ａ  検出領域、５０  開閉機構、５１  蓋側係合部、５２  ロックレバー、５２ａ、５２ｂ  ガイド穴、５２ｃ  円弧状のガイド穴、５２ｄ  当接面、５２ｅ  傾斜案内面、５２ｆ  先端部分、５２Ａ  ロック位置、５２Ｂ  ロック解除位置、５２Ｃ  押し上げ位置、５３  係合溝、５４  蓋押し上げ面、５５  復帰ばね、５６  付勢部材、５７  スイングアーム、５７ａ  支軸、５７ｂ  円弧状ガイド穴、５８  連結ピン、５９  係合ピン、６１、６２  ガイドピン、７２  ピニオン、７３、７４  ラック、７３ａ、７４ａ  係合爪、７４ｂ  係合爪
【図１】
2006181773.tif 000003
【図２】
2006181773.tif 000004
【図３】
2006181773.tif 000005
【図４】
2006181773.tif 000006
【図５】
2006181773.tif 000007
【図６】
2006181773.tif 000008
【図７】
2006181773.tif 000009
【図８】
2006181773.tif 000010
【図９】
2006181773.tif 000011
【図１０】
2006181773.tif 000012
【図１１】
2006181773.tif 000013
【図１２】
2006181773.tif 000014